(57)【要約】  【課題】  背面ディスプレイを持った画像表示装置に外部EVFが取りつけられた場合、背面ディスプレイと外部EVFの色温度やガンマ設定が異なるため、同じ画像を表示させても見栄えが異なる課題があった。  【解決手段】  電子ビューファインダと、電子ビューファインダとは別に設けられた表示部を有するディスプレイと、電子ビューファインダの色温度やガンマ設定を記録する記憶手段１と、ディスプレイの色温度やガンマ設定を記録する記憶手段２と、電子ビューファインダとディスプレイの色温度設定やガンマ設定を変更する設定変更手段と、を有し、記憶手段１と記憶手段２を参照し、電子ビューファインダと前記ディスプレイの色温度やガンマ設定が異なる場合、電子ビューファインダの設定をディスプレイに近づけるように設定変更を行い、電子ビューファインダとディスプレイの色温度やガンマ設定の差異が小さくなるように設定変更手段を制御すること。【選択図】  図５
2018078456.tif 000002
【特許請求の範囲】
【請求項１】
表示部に表示される画像を接眼レンズを介して視認可能にする取り外し可能な電子ビューファインダと、
電子ビューファインダとは別に設けられた表示部を有するディスプレイと、
電子ビューファインダの色温度やガンマ設定を記録する記憶手段１と、
ディスプレイの色温度やガンマ設定を記録する記憶手段２と、
電子ビューファインダとディスプレイの色温度設定やガンマ設定を変更する設定変更手段と、
を有し、
記憶手段１と記憶手段２を参照し、電子ビューファインダと前記ディスプレイの色温度やガンマ設定が異なる場合、
電子ビューファインダの設定をディスプレイに近づけるように設定変更を行い、
電子ビューファインダとディスプレイの色温度やガンマ設定の差異が小さくなるように前記設定変更手段を制御することを特徴とする画像表示装置。
【請求項２】
請求項１に記載の画像表示装置において、前記記憶手段を参照し、
前記電子ビューファインダと前記ディスプレイの色温度が所定値１未満の差である場合、前記設定変更手段を制御しないことを特徴とする画像表示装置。
【請求項３】
請求項１に記載の画像表示装置において、前記記憶手段を参照し、
前記電子ビューファインダと前記ディスプレイの色温度が所定値１以上かつ所定値２未満の差である場合、前記設定変更手段は電子ビューファインダの設定のみを制御することを特徴とする画像表示装置。
【請求項４】
請求項１に記載の画像表示装置において、前記記憶手段を参照し、
前記電子ビューファインダと前記ディスプレイの色温度が所定値２以上の差である場合、前記設定変更手段は電子ビューファインダの設定とディスプレイの設定両方を制御し、電子ビューファインダに対してディスプレイの変更を少なくすることを特徴とする画像表示装置。
【請求項５】
請求項１に記載の画像表示装置において、前記記憶手段を参照し、
前記電子ビューファインダと前記ディスプレイのガンマ設定が異なる場合、電子ビューファインダのガンマ設定を背面ディスプレイに近づけるようにガンマ設定を変更することを特徴とする画像表示装置。
【請求項６】
請求項１に記載の画像表示装置において、前記記憶手段を参照し、
前記電子ビューファインダと前記ディスプレイのガンマ設定が同じ場合、電子ビューファインダ及び背面ディスプレイのガンマ設定を変更しないことを特徴とする画像表示装置。
【請求項７】
請求項１に記載の画像表示装置において、前記記憶手段１は、電子ビューファインダに搭載されている事を特徴とする画像表示装置。
【請求項８】
請求項１に記載の画像表示装置において、前記記憶手段１は、電子ビューファインダとは別の装置に搭載されている事を特徴とする画像表示装置。
【発明の詳細な説明】
【技術分野】
【０００１】
本発明は、ディスプレイを有し、かつ別の取り外し可能なディスプレイが取りつけられた際のディスプレイ間の色バランス制御方法に関するものである。
【背景技術】
【０００２】
近年、コンパクトカメラやミラーレスカメラなど、光学ビューファインダーを設けないカメラにおいて、取り外し可能な外部電子ビューファインダ（以下、外部EVF）を装着できる撮像装置が普及してきている。外部EVFは、屋外において撮像装置の背面ディスプレイが視認しにくい場合の視認性向上や、カメラを保持する際、カメラを顔に近づけて外部EVFを覗く姿勢をとるとホール性が向上するなどの用途で設けられている。
【０００３】
これまでも、ビューファインダーが撮像装置に内蔵されたものがあるが、撮像装置本体の小型化のため、取り外し可能な外部EVFが増えてきている。ここで複数のディスプレイが存在すると、ディスプレイの色が異なるためユーザーに違和感を与えるという課題がある。
【０００４】
例えば、液晶ディスプレイの場合、ディスプレイの構造によって色度バラツキの中心が変わる。ノーマリーブラックやノーマリーホワイト、ＩＰＳやＴＮの配向構造の違いによって色が異なり、一般的にノーマリーブラックのＩＰＳの場合は６５００Ｋ付近、ノーマリーホワイトのＴＮの場合は９０００Ｋ付近が中心色度になる。また、バックライトに使用するＬＥＤの色度ランクによっても色が異なる。背面ディスプレイと外部ＥＶＦが同じ構造、同じＬＥＤの組み合わせになるとは限らないため、背面ディスプレイと外部ＥＶＦの色が異なるという課題が存在する。
【０００５】
ビューファインダーが撮像装置に内蔵されているものについては、撮像装置の製造段階で色度調整を行い、ディスプレイ間の色の差異を少なくすることが可能である。しかし、外部EVFの場合は装着される撮像装置を特定できないため、予めディスプレイ間の色を合わせることができない。そこで、ディスプレイ間の色を合わせる手段として、特許文献１には、外部から表示させたい色温度を指定し、複数個のディスプレイの色を合わせる手段が開示されている。
【先行技術文献】
【特許文献】
【０００６】
【特許文献１】特開２００１−３２４９７１公報
【発明の概要】
【発明が解決しようとする課題】
【０００７】
しかし、特許文献１の手段で色を合わせた場合、すべてのディスプレイの色が変わってしまう課題がある。外部EVFを使用する撮像装置の場合、外部EVFを装着しない状態で撮像装置を使用する場合が想定される。つまり、撮像装置の背面ディスプレイだけを見ている場合があるため、外部EVFを付けた際に背面ディスプレイの色が変わってしまうとユーザーに違和感を与えてしまう。
【０００８】
本発明は上記問題点に鑑みてなされたものであり、使用頻度の高い背面ディスプレイの見栄えは極力変更せずに、外部EVFの設定を積極的に変更し、外部EVFと背面ディスプレイの見栄えを合わせる制御手段を備えていることを特徴とする。
【課題を解決するための手段】
【０００９】
本発明の画像表示装置は、表示部に表示される画像を接眼レンズを介して視認可能にする取り外し可能な電子ビューファインダと、
電子ビューファインダとは別に設けられた表示部を有するディスプレイと、
電子ビューファインダの色温度やガンマ設定を記録する記憶手段１と、
ディスプレイの色温度やガンマ設定を記録する記憶手段２と、
電子ビューファインダとディスプレイの色温度設定やガンマ設定を変更する設定変更手段と、
を有し、
記憶手段１と記憶手段２を参照し、電子ビューファインダと前記ディスプレイの色温度やガンマ設定が異なる場合、
電子ビューファインダの設定をディスプレイに近づけるように設定変更を行い、
電子ビューファインダとディスプレイの色温度やガンマ設定の差異が小さくなるように前記設定変更手段を制御することを特徴としている。
【発明の効果】
【００１０】
本提案によれば、色温度やガンマが異なる場合、背面ディスプレイの設定は極力変更せず、外部ＥＶＦの設定を積極的に変更することで、ユーザーに違和感を与えずに外部EVFと背面ディスプレイの色温度・ガンマの差異を少なくすることができる。
【図面の簡単な説明】
【００１１】
【図１】本発明に適用できる実施例のハードウェア構成の一例
【図２】本発明に適用できる実施例の表示装置制御ブロック図
【図３】本発明に適用できる実施例の色温度とガンマテーブル
【図４】本発明に適用できる実施例のガンマ曲線の説明図
【図５】本発明に適用できる実施例の色温度制御の制御フローチャート
【図６】本発明に適用できる実施例のガンマ制御の制御フローチャート
【図７】本発明に適用できる実施例のガンマテーブルに格納されているガンマ曲線
【発明を実施するための形態】
【００１２】
＜実施例＞
以下、図面を参照して本発明の実施例を説明する。図１に、本発明に適用可能な表示制御装置１００のハードウェア構成の一例を示す。表示制御装置１００は、パーソナルコンピュータ（以下、ＰＣ）などを用いて構成可能なものである。
【００１３】
図１において、内部バス１５０に対してＣＰＵ１０１、メモリ１０２、不揮発性メモリ１０３、画像処理部１０４、ディスプレイ１０５、操作部１０６、記録媒体Ｉ/Ｆ１０７、外部Ｉ/Ｆ１０９、外部ＥＶＦ１１０、電源１１２が接続されている。内部バス１５０に接続される各部は、内部バス１５０を介して互いにデータのやりとりを行うことができるようにされている。
【００１４】
メモリ１０２は、例えばＲＡＭ（半導体素子を利用した揮発性のメモリなど）からなり、ＣＰＵ１０１の演算領域やディスプレイ１０５、外部ＥＶＦ１１０のＶＲＡＭ領域などに利用される。ＣＰＵ１０１は、例えば不揮発性メモリ１０３に格納されるプログラムに従い、メモリ１０２をワークメモリとして用いて、表示制御装置１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１５】
画像処理部１０４は、ＣＰＵ１０１の制御に基づいて、不揮発性メモリ１０３や記録媒体１０８に格納された画像データや、外部Ｉ/Ｆ１０９を介して取得した映像信号、通信Ｉ/Ｆ１１０を介して取得した画像データなどに対して各種画像処理を施す。
画像処理部１０４が行う画像処理には、Ａ/Ｄ変換処理、Ｄ/Ａ変換処理、画像データの符号化処理、圧縮処理、デコード処理、拡大／縮小処理（リサイズ）、ノイズ低減処理、色変換処理などが含まれる。
【００１６】
画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。ディスプレイ１０５は、ＣＰＵ１０１の制御に基づいて、画像やＧＵＩ(Graphical User Interface)を構成するＧＵＩ画面などを表示する。外部EVF１１０は取り外し可能なディスプレイであり、接続状態をＣＰＵ１０１で検出し、ＣＰＵ１０１の制御に基づいて、ディスプレイ１０５と同様の情報を表示する。
【００１７】
外部EVF１１０は不揮発性メモリ１１３を有しており、外部ＥＶＦの色温度調整パラメータ、ガンマ設定データ、その他設定データが格納されており、ＣＰＵ１０１から不揮発性メモリ１１３のデータを読出し、制御することができる。また、不揮発性メモリ１１３には外部ＥＶＦを識別する識別情報を記録し、外部ＥＶＦの色温度調整パラメータ、ガンマ設定データ、その他設定データは別の場所にある記憶装置に記録しても構わない。
【００１８】
ディスプレイ１０５の色温度調整パラメータ、ガンマ設定データ、その他設定データは、不揮発性メモリ１０３に保存されている。ＣＰＵ１０１は、プログラムに従い表示制御信号を生成し、ディスプレイ１０５や外部EVF１１０に表示するための映像信号を生成して、ディスプレイ１０５や外部EVF１１０に出力するように表示制御装置１００の各部を制御する。ディスプレイ１０５や外部EVF１１０は出力された映像信号に基づいて映像を表示する。
【００１９】
操作部１０６は、キーボードなどの文字情報入力デバイスや、マウスやポインティングデバイス、ボタン、ダイヤル、ジョイスティック、タッチセンサ、タッチパッドなどを含む、ユーザー操作を受け付けるための入力デバイスである。記憶媒体Ｉ/Ｆ１０７は、メモリカードやＣＤ、ＤＶＤといった記録媒体１０８が装着可能とされ、ＣＰＵ１０１の制御に基づき、装着された記録媒体１０８からのデータの読み出しや、当該記録媒体１０８に対するデータの書き込みを行う。
【００２０】
外部Ｉ/Ｆ１０９は、外部機器と有線ケーブルや無線によって接続し、映像信号や音声信号の入出力を行うためのインターフェースである。電源１１２は、電源スイッチなどをユーザーが制御することによって、表示制御装置１００に電源を供給する。
【００２１】
なお、上述した各実施形態においては、本発明をパーソナルコンピュータに適用した場合を例にして説明したが、これはこの例に限定されない。すなわち、本発明は、デジタルカメラなどの撮像装置に適用してもよい。すなわち、メモリカードなどの、デジタルカメラが読み取り可能な記録媒体に記録された撮影画像を、デジタルカメラの有する液晶装置などのディスプレイに再生表示する際にも、本発明は適用可能である。
【００２２】
図２に、本発明を適用可能な表示装置１００の制御ブロック図を示す。２０１は、メモリ１０２のＶＲＡＭ領域に記録された画像データをＲＧＢに変換し、そのＲＧＢデータを補正する補正回路である。補正回路２０１では、表示するディスプレイに応じたフィルタ処理、解像度補正を行う。２０３はガンマ補正回路であり、ＲＧＢ入力信号レベルに対して複数の補正領域を設け、近似式からガンマ曲線を生成し、各ＲＧＢデータに対してガンマ補正を行う。ガンマ曲線は図３に示すようなものである。
【００２３】
横軸に入力信号レベル、縦軸に出力信号レベルを示しており、入力レベルを１０分割して近似式で求めたガンマ曲線にそって、入力信号レベルに対する出力信号レベルが決定する。
【００２４】
図２の２０５ｒ、２０５ｇ、２０５ｂはアンプ回路であり、各ＲＧＢデータに対してゲインをかけることができ、色温度の変更はこのアンプゲインを変更することで実現できる。２０７はパラメータ制御回路であり、ＣＰＵ１０１によって制御され、不揮発性メモリ１０３に記録されているパラメータを読出して補正回路２０１、ガンマ補正２０３、アンプ２０５を制御する。１１０は外部ＥＶＦ、１０５は背面ディスプレイである。図２では、外部ＥＶＦ１１０と背面ディスプレイ１０５は共通配線で接続されているが、それぞれ別の補正回路、ガンマ補正、ゲイン回路を設けても構わない。
【００２５】
図４は、不揮発性メモリ１０３、１１３に記録されている外部ＥＶＦ１１０と背面ディスプレイ１０５の色温度テーブル、ガンマテーブルである。外部ＥＶＦ１１０、背面ディスプレイ１０５はそれぞれ複数のパラメータを持ち、それぞれの色温度、ガンマにするための設定値を不揮発性メモリ１０３、１１３に格納している。
【００２６】
色温度テーブルの設定値は、図２の２０５ｒ、２０５ｇ、２０５ｂのアンプゲインを設定値として有しており、ガンマテーブルの設定値は、図３のガンマ補正回路２０３のガンマ曲線を設定値として有している。ガンマ曲線は図３に示すようなものであり、ガンマテーブル分だけのガンマ曲線を不揮発性メモリ１０３、１１３に格納している。
【００２７】
図５は本発明に適用可能な色温度制御の制御フローチャートを示している。このフローチャートおける各処理は、ＣＰＵ１０１が不揮発性メモリ１０３に格納されたプログラムをメモリ１０２に展開して実行することにより実現される。
【００２８】
Ｓ５０１において、表示装置１００のＣＰＵ１０１は、外部ＥＶＦ１１０の接続状態を検出し、接続されている場合はＳ５０３に進む。接続されていない場合はＳ５１３に進み、背面ディスプレイ１０５の色温度は変更されない。Ｓ５０３では、外部ＥＶＦ１１０と背面ディスプレイ１０５の色温度データをＣＰＵ１０１を介して不揮発性メモリ１０３、１１３から取得し、メモリ１０２に格納してＳ５０５に進む。
【００２９】
Ｓ５０５では、ＣＰＵ１０１は、メモリ１０２に格納した外部ＥＶＦ１１０と背面ディスプレイ１０５の色温度データを比較し、差分が１０００Ｋ未満の場合はＳ５１３に進み、色温度の変更は行わない。色温度の差分が１０００Ｋ以上の場合はＳ５０７に進む。Ｓ５０７では、ＣＰＵ１０１は、メモリ１０２に格納した外部ＥＶＦ１１０と背面ディスプレイ１０５の色温度データを比較し、差分が２０００Ｋ未満の場合はＳ５１１に進み、Ｓ５１１において外部ＥＶＦ１１０の色温度をΔ１０００Ｋ、背面ディスプレイの色温度に近づくように変更する。
【００３０】
例えば、外部ＥＶＦの初期状態の色温度が８５００Ｋ、背面ディスプレイの初期状態の色温度が７０００Ｋの場合、差分が１５００Ｋである。ＣＰＵ１０１は、不揮発性メモリ１１３に格納された図４の外部ＥＶＦの色温度テーブル参照し、８５００Ｋから背面ディスプレイの色温度７０００Ｋに近づくように、７５００Ｋの色温度テーブルパラメータＥＶＦ-1を選択する。パラメータＥＶＦ-1に設定されている２０５ｒ、２０５ｇ、２０５ｂのアンプゲインをパラメータ制御部２０７を介して２０５ｒ、２０５ｇ、２０５ｂに設定し、外部ＥＶＦの色温度を変更する。
【００３１】
Ｓ５０９では、ＣＰＵ１０１は、メモリ１０２に格納した外部ＥＶＦ１１０と背面ディスプレイ１０５の色温度データを比較し、差分が２０００Ｋ以上の場合はＳ５０９に進み、外部ＥＶＦ１１０の色温度をΔ１０００Ｋ、背面ディスプレイの色温度に近づくように変更する。また、背面ディスプレイ１０５の色温度をΔ５００Ｋ、外部ＥＶＦ側へ変更する。
【００３２】
例えば、外部ＥＶＦの初期状態の色温度が８５００Ｋ、背面ディスプレイの初期状態の色温度が６５００Ｋの場合、差分が２０００Ｋである。ＣＰＵ１０１は、不揮発性メモリ１１３に格納された図４記載の外部ＥＶＦ色温度テーブル参照し、８５００Ｋから背面ディスプレイの色温度７０００Ｋに近づくように、７５００Ｋの色温度テーブルパラメータＥＶＦ-1を選択する。パラメータＥＶＦ-１に設定されている２０５ｒ、２０５ｇ、２０５ｂのアンプゲインをパラメータ制御部２０７を介して２０５ｒ、２０５ｇ、２０５ｂに設定し、外部ＥＶＦの色温度を変更する。
【００３３】
また、ＣＰＵ１０１は、不揮発性メモリ１０３に格納された図３の背面ディスプレイの色温度テーブル参照し、６５００Ｋから外部ＥＶＦの色温度７５００Ｋに近づくように、７０００Ｋの色温度テーブルパラメータＬＣＤ-２を選択する。パラメータＬＣＤ-２に設定されている２０５ｒ、２０５ｇ、２０５ｂのアンプゲインをパラメータ制御部２０７を介して２０５ｒ、２０５ｇ、２０５ｂに設定し、背面ディスプレイの色温度を変更する。
【００３４】
ここで、Ｓ５０９において外部ＥＶＦだけではなく、背面ディスプレイの色温度も変更している理由を説明する。外部ＥＶＦの色温度を大きく変更しすぎると、低階調領域から高階調領域までの色バランスが崩れてしまい、階調によって色が大きく変化してしまう。階調による色バランスに影響を与えない範囲で色温度パラメータを変更する必要があるため、ある一定以上の色温度差がある場合は、背面ディスプレイの色温度も変更する必要がある。
【００３５】
本発明では背面ディスプレイの色温度変化は外部ＥＶＦよりも小さくし。背面ディスプレイの色温度変化を抑えている。
【００３６】
Ｓ５０９、Ｓ５１１、Ｓ５１３以降はＳ５１５に進み、操作部１０６で外部ＥＶＦ１１０の点灯制御が選択された場合、Ｓ５２３に進みＣＰＵ１０１は外部ＥＶＦ１１０を点灯させる。Ｓ５１５において、操作部１０６で外部ＥＶＦ１１０の点灯が選択されていない場合、Ｓ５１７に進む。
【００３７】
Ｓ５１７では、操作部１０６で背面ディスプレイ１０５の点灯制御が選択された場合、Ｓ５２１に進みＣＰＵ１０１は背面ディスプレイ１０５を点灯させる。Ｓ５１７において、操作部１０６で背面ディスプレイ１０５の点灯が選択されていない場合、Ｓ５１９に進み、背面ディスプレイ１０５、外部ＥＶＦ１１０ともに点灯させない。Ｓ５１９、Ｓ５２１、Ｓ５２３の処理後、Ｓ５２５に進み、外部ＥＶＦの接続状態を検出する。Ｓ５２５において、外部ＥＶＦが接続されている場合はＳ５１５に進み、接続されていない場合は、Ｓ５０１に戻る。
【００３８】
ここで、各フローチャートで色温度を定義しているが、この数値以外の色温度としても構わない。
【００３９】
次に、図６は本発明に適用可能なガンマ制御の制御フローチャートを示している。このフローチャートおける各処理は、ＣＰＵ１０１が不揮発性メモリ１０３に格納されたプログラムをメモリ１０２に展開して実行することにより実現される。
【００４０】
Ｓ６０１において、表示装置１００のＣＰＵ１０１は、外部ＥＶＦ１１０の接続状態を検出し、接続されている場合はＳ６０３に進む。接続されていない場合はＳ６１３に進み、背面ディスプレイ１０５のガンマ設定は変更されず、Ｓ６１５に進む。Ｓ６０３では、外部ＥＶＦ１１０と背面ディスプレイ１０５のガンマ設定データをＣＰＵ１０１を介して不揮発性メモリ１０３、１１３から取得し、メモリ１０２に格納してＳ６０５に進む。
【００４１】
ここで、図３においてガンマ曲線を示しているが、ガンマテーブルに格納されているガンマ曲線は図７に示すようなものである。
【００４２】
図７（ａ）は、2.2のガンマ曲線であり、図４のガンマパラメータＥＶＦ-１、ガンマパラメータＬＣＤ-１に相当する。図７（ｂ）は、2.9のガンマ曲線であり、ガンマパラメータＥＶＦ-２に相当する。図７（ｃ）は、3.5のガンマ曲線であり、ガンマパラメータＥＶＦ-３に相当する。図７（ｄ）は、S字のガンマ曲線であり、ガンマパラメータＥＶＦ-４、ガンマパラメータＬＣＤ-２に相当する。
【００４３】
Ｓ６０５では、外部ＥＶＦ１１０と背面ディスプレイ１０５のガンマが等しい場合はＳ６１３に進み、外部ＥＶＦ１１０、背面ディスプレイ１０５のガンマ設定は変更されず、Ｓ６１５に進む。外部ＥＶＦ１１０と背面ディスプレイ１０５のガンマが等しくない場合は、Ｓ６０７に進む。Ｓ６０７では、背面ディスプレイ１０５のガンマ設定が、図４の背面ディスプレイガンマテーブル記載のガンマパラメータＬＣＤ-１の場合、Ｓ６１１に進む。Ｓ６１１では、外部ＥＶＦ１１０のガンマ設定を図４の外部ＥＶＦガンマテーブル記載のガンマパラメータＥＶＦ-１に設定し、Ｓ６１５に進む。
【００４４】
Ｓ６０７で、背面ディスプレイ１０５のガンマ設定が図４の背面ディスプレイガンマテーブル記載のガンマパラメータＬＣＤ-１と異なる場合、Ｓ６０９に進む。Ｓ６０９では、外部ＥＶＦ１１０のガンマ設定を図４の外部ＥＶＦガンマテーブル記載のガンマパラメータＬＣＤ-２に設定し、Ｓ６１５に進む。Ｓ６１５において、操作部１０６で外部ＥＶＦ１１０の点灯制御が選択された場合、Ｓ６２３に進みＣＰＵ１０１は外部ＥＶＦ１１０を点灯させる。
【００４５】
Ｓ６１５において、操作部１０６で外部ＥＶＦ１１０の点灯が選択されていない場合、Ｓ６１７に進む。Ｓ６１７において、操作部１０６で背面ディスプレイ１０５の点灯制御が選択された場合、Ｓ６２１に進みＣＰＵ１０１は背面ディスプレイ１０５を点灯させる。
【００４６】
Ｓ６１７において、操作部１０６で背面ディスプレイ１０５の点灯が選択されていない場合、Ｓ６１９に進み、背面ディスプレイ１０５、外部ＥＶＦ１１０ともに点灯させない。Ｓ６１９、Ｓ６２１、Ｓ６２３の処理後、Ｓ６２５に進み、外部ＥＶＦの接続状態を検出する。Ｓ６２５において、外部ＥＶＦが接続されている場合はＳ６１５に進み、接続されていない場合は、Ｓ６０１に戻る。
【００４７】
ここで、図４、図７にガンマ設定を規定しているが、これらの数値以外のガンマ設定を使用しても構わない。また、Ｓ字ガンマの場合は１０分割した横軸の入力信号に対する出力信号を定義し、それを近似式で求めた曲線としている。
【００４８】
以上のように、本実施例によれば、ユーザーが視認する頻度の高い背面ディスプレイ１０５の色温度、ガンマを変更することなく、外部ＥＶＦ１１０との色温度、ガンマの差異を少なくすることができる。外部ＥＶＦ１１０を装着した際に背面ディスプレイの見栄えに影響を与えないため、ユーザーに違和感を与えない。
【符号の説明】
【００４９】
101：  CPU
102：  メモリ
103：  不揮発性メモリ
104：  画像処理部
105：  ディスプレイ
106：  操作部
107：  記録媒体I/F
108：  記録媒体
109：  外部I/F
110：  外部EVF
112：  電源
113：  不揮発性メモリ
【図１】
2018078456.tif 000003
【図２】
2018078456.tif 000004
【図３】
2018078456.tif 000005
【図４】
2018078456.tif 000006
【図５】
2018078456.tif 000007
【図６】
2018078456.tif 000008
【図７】
2018078456.tif 000009